(57)【要約】【課題】エレベータにおいてスライド部材をスムーズに移動できない事態の発生を抑制したスライド機構を提供することを課題とする。【解決手段】スライド機構２０は、エレベータの構成部として設けられた収納部本体２２と、収納部本体２２の収納空間Ｓを開閉するカバー２４と、カバー２４に取り付けられ、収納空間Ｓへ出し入れする方向にスライド移動可能なように収納部本体２２の収納空間Ｓ側に摺接しているスライド部材２６と、を備える。スライド部材２６を構成するスライド部材摺接部ＰＣと、収納部本体２２を構成しスライド部材摺接部ＰＣに摺接される収納部本体被摺接部ＭＣとは、一方が金属からなり、他方が樹脂またはセラミックスからなる。【選択図】図３
2017218256.tif 000002
【特許請求の範囲】
【請求項１】
エレベータの構成部として設けられた収納部本体と、
前記収納部本体の収納空間を開閉するカバーと、
前記カバーに取り付けられ、前記収納空間へ出し入れする方向にスライド移動可能なように前記収納部本体の収納空間側に摺接しているスライド部材と、
を備え、
前記スライド部材を構成するスライド部材摺接部と、前記収納部本体を構成し前記スライド部材摺接部に摺接される収納部本体被摺接部とは、一方が金属からなり、他方が樹脂またはセラミックスからなる
ことを特徴とするスライド機構。
【請求項２】
前記スライド部材摺接部は、スライド移動方向に沿って前記スライド部材に形成された長孔の孔壁部で構成されるとともに金属からなり、
前記収納部本体は、収納空間側に着脱自在に装着されるネジ部材を備え、
前記ネジ部材は、
前記長孔の幅よりも径が大きい頭部と、
前記頭部から延び出した軸部に挿通されていて前記頭部に隣接し、樹脂またはセラミックスからなり前記孔壁部に摺接される前記収納部本体被摺接部とを備えている
ことを特徴とする請求項１に記載のスライド機構。
【請求項３】
前記カバーは乗場操作盤を構成し、
前記収納部本体は、前記乗場操作盤を構成する乗場側操作ユニットを収容している
ことを特徴とする請求項１または２に記載のスライド機構。
【請求項４】
前記カバーはかご操作盤を構成し、
前記収納部本体は、前記かご操作盤を構成するかご側操作ユニットを収容している
ことを特徴とする請求項１または２に記載のスライド機構。
【請求項５】
前記収納部本体は、前記スライド部材の上側および下側をそれぞれスライド移動方向に案内する上側サポート板および下側サポート板を備え、
前記スライド部材摺接部が金属からなり、前記上側サポート板および前記下側サポート板が樹脂またはセラミックスからなる
ことを特徴とする請求項１〜４の何れか１項に記載のスライド機構。
【請求項６】
前記上側サポート板および前記下側サポート板の上下方向位置を調整する調整構造を有する
ことを特徴とする請求項５に記載のスライド機構。
【発明の詳細な説明】
【技術分野】
【０００１】
本発明の実施形態は、エレベータを構成する機構として設けられたスライド機構に関する。
【背景技術】
【０００２】
エレベータの乗場では、乗りかごを呼ぶための操作盤が配置されている。この操作盤は、通常、行き先方向として上昇あるいは下降を示す呼びボタンが配置されており、乗場にいる人がこの呼びボタンを押すことによって乗りかごがその階に移動されるようになっている（例えば、特許文献１参照）。
【先行技術文献】
【特許文献】
【０００３】
【特許文献１】特開2014-9072号公報
【発明の概要】
【発明が解決しようとする課題】
【０００４】
このような操作盤では、保守・点検を定期的に行う必要があり、その際、操作盤のカバーを開ける必要があり、また、このカバーを取り外して保守・点検を行う仕様にされた操作盤であることも多い。
【０００５】
ここで、カバーをスライド式で脱着する仕様の操作盤である場合、カバーにヒンジ等で回動自在に連結されるようにスライド部材を設け、このスライド部材をサポート部材で案内させることでスライド移動させる構成にされていることが多い。この場合、スライド部材とサポート部材とがいわゆるせってしまう状態になってカバーがスムーズにスライド移動できないことが頻繁に生じているという問題があった。
【０００６】
そして、カバーとサポート部材との間には隙間があるが、この隙間が広すぎるといわゆるガタが生じてしまい、上記問題がさらに顕著になる。
【０００７】
また、サポート部材は、スライド部材を下側から支えることでスライド部材の位置が下がってしまうことを防止していることが多い。このため、カバーの重みがスライド部材に加わってスライド部材がサポート部材に対して傾いて奥側でスライド部材とサポート部材との間の隙間が大きくなってしまうと、上記問題がさらに顕著になる。
【０００８】
なお、このような問題は、エレベータの乗場に配置された操作盤に限らず、エレベータの乗りかご内に配置された操作盤や、エレベータで脚立等を収納する収納部などでも生じている。
【０００９】
本発明は上記課題に鑑みてなされたものであり、エレベータにおいてスライド部材をスムーズに移動できない事態の発生を抑制したスライド機構を提供することを課題とする。
【課題を解決するための手段】
【００１０】
本発明の実施形態に係るスライド機構は、エレベータの構成部として設けられた収納部本体と、収納部本体の収納空間を開閉するカバーと、カバーに取り付けられ、収納空間へ出し入れする方向にスライド移動可能なように収納部本体の収納空間側に摺接しているスライド部材と、を備える。スライド部材を構成するスライド部材摺接部と、収納部本体を構成しスライド部材摺接部に摺接される収納部本体被摺接部とは、一方が金属からなり、他方が樹脂またはセラミックスからなる。
【図面の簡単な説明】
【００１１】
【図１】実施形態で、エレベータの乗場側を示す斜視図。
【図２】実施形態で、（ａ）は、エレベータ乗場側に配置されているカバーを閉じていることを示す斜視図、（ｂ）は、エレベータ乗場側に配置されているカバーを開いていることを示す斜視図。
【図３】図２（ｂ）の部分拡大図。
【図４】実施形態で、サポート板を示す斜視図。
【図５】実施形態で、リング部を示す斜視図。
【図６】実施形態の変形例で、エレベータの乗りかご側を示す斜視図。
【発明を実施するための形態】
【００１２】
以下、実施形態に係るスライド機構の一実施形態（以下、本実施形態という）について、添付図面を参照しつつ説明する。
【００１３】
図１に示すように、本実施形態では、エレベータ乗場１０の壁面には乗降口１２が形成されており、エレベータ乗場１０には、この乗降口１２を開閉する鉄板製のドア１４と、ドア１４の周囲に配置されている三方枠１６（上側および左右側の三方の周囲に配置されている枠）とが設けられている。ドア１４としては、例えば、一対のドアパネルを備え、このドアパネルが左右に移動することにより乗降口１２が開閉される。
【００１４】
三方枠１６は、左側枠部と上側枠部と右側枠部１６ｒとで構成されている。左側枠部、上側枠部および右側枠部１６ｒは、いずれも、エレベータ乗場１０の正面側およびドア側の壁面を形成するように折り曲げ加工されたプレート状の部材である。
【００１５】
右側枠部１６ｒ内には、乗りかごが到着すると点灯する到着灯１８を備えている。また、右側枠部１６ｒには、本実施形態に係るスライド機構２０（図２、図３参照）が設けられている。スライド機構２０は、エレベータの構成部（より正確にはエレベータ乗場１０の構成部）として設けられた収納部本体２２と、収納部本体２２の収納空間Ｓを開閉するカバー２４と、カバー２４に取り付けられたスライド部材２６とを備えている。カバー２４は、右側枠部１６ｒの所定位置で乗場正面側に露出している。スライド部材２６は、収納空間Ｓへ出し入れする方向にスライド移動可能なように収納部本体２２に摺接している。
【００１６】
そして、スライド部材２６はスライド部材摺接部ＰＣを有し、収納部本体２２はスライド部材摺接部ＰＣに摺接される収納部本体被摺接部ＭＣを有している。そして、スライド部材摺接部ＰＣと収納部本体被摺接部ＭＣとは、一方が金属からなり、他方が樹脂（プラスチックなど）またはセラミックスからなる。金属としては、例えば、アルミニウムやステンレスである。
【００１７】
収納部本体２２は上下方向に細長い金属製の箱部３０を有する。カバー２４は、箱部３０の正面側を覆う平板状のカバー本体２４ｍと、カバー本体２４ｍの裏面側に固定されるとともにスライド部材２６に固定されたヒンジ２４ｈとで構成される。
【００１８】
ヒンジ２４ｈは、上下方向に向けられた回動軸部材２４ｈ１と、回動軸部材２４ｈ１の回りに回動可能なカバー本体側連結部材２４ｈ２およびスライド部材側連結部材２４ｈ３と、で構成されている。カバー本体側連結部材２４ｈ２は、その平板部がカバー本体２４ｍの裏面に面接触してネジ等で固定されている。スライド部材側連結部材２４ｈ３は、その先端部がスライド部材２６のカバー側の端部２６ｅに固定されている。
【００１９】
以下、本実施形態では、スライド部材摺接部ＰＣが金属からなり、収納部本体被摺接部ＭＣが樹脂またはセラミックスからなる例で説明する。本実施形態では、スライド部材２６が金属からなることでスライド部材摺接部ＰＣも金属からなる。また本実施形態では、スライド部材側連結部材２４ｈ３は溶接によってスライド部材２６の端部２６ｅに固定されている。
【００２０】
スライド部材２６は、箱部３０のやや上部、および、やや下部にそれぞれ配置されている。各スライド部材２６には、スライド移動方向Ｕに沿った長孔３２が、互いに上下となる位置に２本配列されている。そしてスライド部材摺接部ＰＣは長孔３２の孔壁部３２ｗで構成されている。スライド部材２６の厚みは例えば２〜３ｍｍ程度である。
【００２１】
収納部本体２２は、上述した箱部３０と、箱部３０の収納空間側に着脱自在に装着されるネジ部材３６とを備える。ネジ部材３６は、長孔３２の幅Ｂよりも径Ｄが大きい頭部３６ｈと、頭部３６ｈに隣接し、樹脂またはセラミックスからなり孔壁部３２ｗに摺接される上記の収納部本体被摺接部ＭＣとを備えている。この構成により、ネジ部材３６の頭部３６ｈと箱部３０の内壁面との間にスライド部材２６が挟み込まれているようにも見えている。
【００２２】
本実施形態では、収納部本体被摺接部ＭＣとして、ネジ部材３６の軸部３６ｘに挿通される樹脂またはセラミックスからなるリング部３６ｒ（図３、図４参照）が、ネジ部材３６に設けられている。そして、箱部３０の収納空間側には、ネジ部材３６が係合する雌ネジ（図示せず）が形成されている。
【００２３】
また、カバー２４は乗場操作盤ＮＢを構成しており、乗りかごの呼びボタン２４ｃと、乗りかごの現在の到着階を示す電光表示板２４ｄとを正面側に有している。箱部３０は乗場操作盤ＮＢを構成する乗場側操作ユニット２８を収容している。本実施形態では、カバー２４と乗場側操作ユニット２８とは、カバー２４の開閉可能性を担保しつつ電気配線Ｃで接続されている。
【００２４】
更に本実施形態では、収納部本体２２は、スライド部材２６の上側および下側をそれぞれスライド移動方向に案内する上側サポート板４０および下側サポート板４２を備えている。上側サポート板４０および下側サポート板４２は何れも樹脂またはセラミックスからなる。箱部３０には、上側サポート板４０および下側サポート板４２を挿通したサポート板固定用ネジ４４（ビス）がネジ係合する雌ネジ（図示せず）が形成されている。上側サポート板４０および下側サポート板４２の厚みは、例えば、何れも２〜３ｍｍ程度であり、上側サポート板４０および下側サポート板４２の長さは、例えば、何れもスライド部材２６のスライド移動方向長さ（Ｕ方向長さ）の半分以上にされている。
【００２５】
そして本実施形態では、スライド機構２０は、上側サポート板４０および下側サポート板４２の上下方向位置を調整する調整構造Ｊ（図３、図５参照）を有している。本実施形態では、調整構造Ｊは、上側サポート板４０および下側サポート板４２にそれぞれ形成された縦方向に細長い長孔部４６と、長孔部４６を挿通して箱部３０の収納空間側にネジ係合して装着されるネジ部材３６とで構成されている。この構成により、上側サポート板４０および下側サポート板４２の上下方向位置をサポート板固定用ネジ４４に対して移動させることで上下方向位置を調整することができ、スライド部材２６の寸法に応じた調整が可能になっている。
【００２６】
（作用、効果）
以下、本実施形態の作用、効果を説明する。
【００２７】
乗場操作盤ＮＢの定期的な保守・点検（メンテナンス）を行う際には、まず、作業員が、カバー本体２４ｍを開き、手前側（スライド移動方向Ｕのうち出す側）へカバー本体２４ｍを引き出す。この結果、スライド部材側連結部材２４ｈ３に溶接によって固定されているスライド部材２６が手前側へスライド移動する。ここで、スライド部材摺接部ＰＣ（孔壁部３２ｗ）が金属からなり収納部本体被摺接部ＭＣ（リング部３６ｒ）が樹脂またはセラミックスからなるので、このスライド移動ではスムーズに移動し、金属部材同士をスライド移動させるときのようにせってしまうことは抑制されている。そして、スライド部材２６が金属からなり上側サポート板４０および下側サポート板４２が樹脂またはセラミックスからなるので、スライド部材２６はスムーズに案内され、案内時にせりが生じることが抑制されている。
【００２８】
このスライド移動の際にせりが生じてスムーズに移動できない場合には、スライド部材２６の傾きなどを直すことでせりを解消させ、ネジ部材３６のネジ係合状態の正常性の確認や、上側サポート板４０や下側サポート板４２の上下方向位置を調整し、スムーズに移動できるように設定する。
【００２９】
カバー２４を引き出した後、ネジ部材３６を収納部本体２２から取り外してカバー２４を収納部本体２２から取り外し、カバー２４や乗場側操作ユニット２８などの保守・点検作業や修理作業を行う。なお、カバー２４を取り外さなくても作業に支障がない場合には取り外さないで行うことも可能である。
【００３０】
作業完了後、上側サポート板４０と下側サポート板４２との間にスライド部材２６を配置し、ネジ部材３６を長孔３２に挿通させてネジ係合させ、カバー本体２４ｍに力を加えてカバー２４およびスライド部材２６を奥側（スライド移動方向Ｕのうち入れる側）にスライド移動させて所定位置にまで到達させてカバー２４を閉じる。ここで、スライド部材摺接部ＰＣ（孔壁部３２ｗ）が金属からなり収納部本体被摺接部ＭＣ（リング部３６ｒ）が樹脂またはセラミックスからなるので、カバー２４を手前側へ引き出すときと同様、このスライド移動ではスムーズに移動し、金属部材同士をスライド移動させるときのようにせってしまうことは抑制される。そして、スライド部材２６が金属からなり上側サポート板４０および下側サポート板４２が樹脂またはセラミックスからなるので、カバー２４を手前側へ引き出すときと同様、スライド部材２６はスムーズに案内され、案内時にせりが生じることが抑制されている。
【００３１】
カバー２４を引き出すときと同様、このスライド移動の際にせりが生じてスムーズに移動できない場合には、スライド部材２６の傾きなどを直すことでせりを解消させ、ネジ部材３６のネジ係合状態の正常性の確認や、上側サポート板４０や下側サポート板４２の上下方向位置を調整し、スムーズに移動できるように設定する。
【００３２】
以上説明したように、本実施形態では、収納部本体２２からスライド部材２６を引き出す際、スライド部材摺接部ＰＣと収納部本体被摺接部ＭＣとの一方が金属からなり他方が樹脂またはセラミックスからなるので、スライド部材２６と収納部本体２２とがせってしまってスムーズに移動できない事態が生じることは抑制されている。すなわち、従来のようにせってしまってスライド部材２６を何度もスライド移動方向Ｕに移動させるという事態が生じることを回避できるので、電気配線Ｃを挟んで地絡させてしまうなどの故障が発生する可能性を大きく低減させることができるとともに、作業性が上がって作業時間を大きく短縮させることができる。
【００３３】
そして、従来のようにせってしまう事態が抑えられることは、時間がなくて機器（乗場操作盤ＮＢ）の復帰を急ぐときに作業員が心理的に追い詰められることを回避でき、不具合の発生を大きく抑えることできるという効果も奏される。
【００３４】
また、本実施形態では、スライド部材摺接部ＰＣがスライド部材２６の長孔３２の孔壁部３２ｗで構成され、収納部本体被摺接部ＭＣがネジ部材３６のリング部３６ｒで構成されるので、簡易な構成のスライド機構でこれらの効果を奏することができる。
【００３５】
また、本実施形態では、スライド部材２６の上側および下側をそれぞれスライド移動方向に案内する上側サポート板４０および下側サポート板４２を備えている。そして、スライド部材２６が金属からなり上側サポート板４０および下側サポート板４２が樹脂またはセラミックスからなっており、スライド部材２６と上側サポート板４０および下側サポート板４２との間にせりが生じることなくスムーズにスライド移動し易い。このことによって、スライド部材２６と上側サポート板４０との隙間ｄ１、および、スライド部材２６と下側サポート板４２との隙間ｄ２を極力小さくすることに大きく寄与するので、スライド移動させる際にがたつきの発生を大きく抑えることができるという効果も奏する。
【００３６】
また、スライド部材２６が樹脂またはセラミックスからなり、リング部３６ｒ、上側サポート板４０、および下側サポート板４２が金属からなる場合であっても同様の効果が奏される。
【００３７】
また、本実施形態では、上側サポート板４０および下側サポート板４２の上下方向位置を調整する調整構造Ｊをスライド機構２０が有している。これにより、上側サポート板４０および下側サポート板４２の上下方向位置をサポート板固定用ネジ４４に対して移動させることで上下方向位置を調整することができ、スライド部材２６の上下方向幅に応じた調整が可能である。ここで、上記の隙間ｄ１、ｄ２を極力小さくするには、上側サポート板４０および下側サポート板４２の上下方向位置を微調整する観点で、サポート板固定用ネジ４４はビスであることが好ましい。
【００３８】
なお、調整構造Ｊを構成する細長い長孔部４６は、縦方向に対して傾斜して斜め方向に延びている構成にすることも可能である。これにより、隙間ｄ１、ｄ２の微調整を更に行い易くなる効果が奏されるとともに、スライド部材２６から下側サポート板４２に加えられる下方向の力を大きく低減できるという効果も奏される。
【００３９】
また、本実施形態では、カバー２４が乗場操作盤ＮＢを構成し箱部３０が乗場側操作ユニット２８を収容した構成にスライド機構２０が設けられた例で説明したが、図６に示すように、スライド機構が乗りかごＫに配置され、かご内側に露出するカバー５４がかご操作盤を構成し箱部がかご側操作ユニットを収容した構成にスライド機構が設けられた場合にも同様の効果が奏される。この場合、カバー５４は、行先階を指令する行先階ボタン６０と、ドア開閉を指令する開閉ボタン６２と、乗りかごＫの移動方向（上昇方向、下降方向）を示す電光表示板６４を正面側に有しており、箱部はかご操作盤に電気接続されたかご側操作ユニットを収容している。
【００４０】
以上、いくつかの実施形態を説明したが、これらの実施形態は、例として提示したものであり、発明の範囲はそれらに限定することは意図していない。これらの実施形態は、その他の様々な形態で実施されることが可能であり、例えば、エレベータで脚立等を収納する収納部などにも適用可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４１】
１０…エレベータ乗場、１２…乗降口、１４…ドア、１６…三方枠、１６ｒ…右側枠部、１８…到着灯、２０…スライド機構、２２…収納部本体、２４…カバー、２４ｃ…呼びボタン、２４ｄ…電光表示板、２４ｍ…カバー本体、２４ｈ…ヒンジ、２４ｈ１…回動軸部材２４ｈ１、２４ｈ２…カバー本体側連結部材、２４ｈ３…スライド部材側連結部材、２６…スライド部材、２６ｅ…端部、２８…乗場側操作ユニット、３０…箱部、３２…長孔、３２ｗ…孔壁部、３６…ネジ部材、３６ｈ…頭部、３６ｒ…リング部、３６ｘ…軸部、４０…上側サポート板、４２…下側サポート板、４４…サポート板固定用ネジ、４６…長孔部、５４…カバー、６０…行先階ボタン、６２…開閉ボタン、６４…電光表示板、Ｂ…幅、Ｃ…電気配線、Ｄ…径、Ｊ…調整構造、Ｋ…乗りかご、ＮＢ…乗場操作盤、Ｓ…収納空間、ＰＣ…スライド部材摺接部、ＭＣ…収納部本体被摺接部、Ｕ…スライド移動方向、ｄ１…隙間、ｄ２…隙間。
【図１】
2017218256.tif 000003
【図２】
2017218256.tif 000004
【図３】
2017218256.tif 000005
【図４】
2017218256.tif 000006
【図５】
2017218256.tif 000007
【図６】
2017218256.tif 000008
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
エレベータの構成部として設けられた収納部本体と、
前記収納部本体の収納空間を開閉するカバーと、
前記カバーに取り付けられ、前記収納空間へ出し入れする方向にスライド移動可能なように前記収納部本体の収納空間側に摺接しているスライド部材と、
を備え、
前記スライド部材を構成するスライド部材摺接部と、前記収納部本体を構成し前記スライド部材摺接部に摺接される収納部本体被摺接部とは、一方が金属からなり、他方が樹脂またはセラミックスからなり、
前記収納部本体は、前記スライド部材の上側および下側をそれぞれスライド移動方向に案内する上側サポート板および下側サポート板を備え、
前記スライド部材摺接部が金属からなり、前記上側サポート板および前記下側サポート板が樹脂またはセラミックスからなり、
前記上側サポート板および前記下側サポート板の上下方向位置を調整する調整構造を有する
ことを特徴とするスライド機構。
【請求項２】
前記スライド部材摺接部は、スライド移動方向に沿って前記スライド部材に形成された長孔の孔壁部で構成されるとともに金属からなり、
前記収納部本体は、収納空間側に着脱自在に装着されるネジ部材を備え、
前記ネジ部材は、
前記長孔の幅よりも径が大きい頭部と、
前記頭部から延び出した軸部に挿通されていて前記頭部に隣接し、樹脂またはセラミックスからなり前記孔壁部に摺接される前記収納部本体被摺接部とを備えている
ことを特徴とする請求項１に記載のスライド機構。
【請求項３】
前記カバーは乗場操作盤を構成し、
前記収納部本体は、前記乗場操作盤を構成する乗場側操作ユニットを収容している
ことを特徴とする請求項１または２に記載のスライド機構。
【請求項４】
前記カバーはかご操作盤を構成し、
前記収納部本体は、前記かご操作盤を構成するかご側操作ユニットを収容している
ことを特徴とする請求項１または２に記載のスライド機構。